(57)【要約】    【課題】      干渉による通信への影響を軽減し、安定的な無線通信を行うことができるネット家電および通信装置を提供すること。    【解決手段】  ネット家電２００において干渉源２０２に関する「干渉源情報」を送信する無線部２０１を設け、「干渉源情報」の送信時間から通信装置３００において「干渉源情報」を基に干渉による影響を軽減する準備ができるまでの時間に応じた時間的間隔を置いて干渉源２０２が作動を開始するように制御する制御部２０３を設けた。こうすることで、この「干渉源情報」を受信する通信装置３００はその「干渉源情報」を基に干渉による影響を軽減することができる。  【選択図】      図１
2006080741.tif 000002
【特許請求の範囲】
【請求項１】
通信に利用されない電磁波を発生しこの電磁波が無線通信に干渉を与える干渉源と、
前記干渉源に関する干渉源情報を記憶する記憶手段と、
前記干渉源情報を送信する通知手段と、
を具備するネット家電。
【請求項２】
前記通知手段が前記干渉源情報を送信してから時間的間隔をおいて前記干渉源へ作動制御情報を送出する制御手段を具備する請求項１記載のネット家電。
【請求項３】
通知相手からの作動許可情報に基づいて前記干渉源を含むユニットの動作を開始制御する制御手段を具備する請求項１記載のネット家電。
【請求項４】
前記記憶手段は、前記干渉源情報として、前記干渉源の作動の時間情報を記憶する請求項１から請求項３のいずれかに記載のネット家電。
【請求項５】
干渉源情報に応じた無線通信制御情報を記憶する記憶手段と、
受信した前記干渉源情報と対応する前記無線通信制御情報に基づき、無線通信部を制御する制御手段と、
を具備する通信装置。
【請求項６】
干渉源が作動中の伝搬環境における干渉成分を測定する測定手段を具備し、
前記制御手段は測定結果に基づき前記記憶手段の前記干渉源に対応する前記無線通信制御情報を順次更新し、更新後の当該無線通信制御情報に基づき制御する請求項５記載の通信装置。
【発明の詳細な説明】
【技術分野】
【０００１】
本発明は、ネット家電および通信装置に関し、特に通信に影響を及ぼす干渉源を有するネット家電およびこれと通信を行う通信装置に関する。
【背景技術】
【０００２】
従来、無線通信システムに影響を与える干渉を排除するための装置として、例えば、特許文献１に示される警報装置がある。
【０００３】
図５に示すように警報装置１は、入力端子１１から入力する識別子によって予め定められたターゲットである無線通信システムの情報を取得する。次に、帯域選択回路１２において取得情報を利用してターゲットである無線通信システムが利用する帯域を含む信号を選択し、干渉検出回路１３において選択した信号のレベルを求め、干渉レベル信号として干渉判定回路１４に出力する。干渉判定回路１４では、干渉レベル信号と前記ターゲットである無線通信システムに影響を与える干渉レベルとを比較して干渉の有無を判断し、干渉が生じていると判断した場合には、検出信号を干渉通知回路１５に出力する。干渉通知回路１５は、検出信号が入力されると、例えば音などの手段を用いてユーザに通知する。
【０００４】
このようにして、ユーザは通知を受け、干渉による通信品質劣化を排除するための指針を得ることができる。
【特許文献１】特開２００２−２９０３４３号公報
【発明の開示】
【発明が解決しようとする課題】
【０００５】
しかしながら、上記警報装置を用いれば、現在生じている干渉については検出することができるが、未来に発生する干渉による、無線通信システムにおける通信への影響については何ら配慮がなされていない。また、ネットワークに接続される所謂ネット家電が普及することが想定される昨今においては、通信と関係のない構成から無線通信に影響を及ぼす電磁波を発生し干渉を生じさせるものもあり、特に複数のネット家電が存在する場合にはその特定が困難となり無線通信を不安定とする要因となる。
【０００６】
本発明は、かかる点に鑑みてなされたものであり、干渉による通信への影響を軽減し、安定的な無線通信を行うことができるネット家電および通信装置を提供することを目的とする。
【課題を解決するための手段】
【０００７】
本発明のネット家電の特徴は、通信に利用されない電磁波を発生しこの電磁波が無線通信に干渉を与える干渉源と、前記干渉源に関する干渉源情報を記憶する記憶手段と、前記干渉源情報を送信する通知手段と、を具備することにある。
【０００８】
本発明の通信装置の特徴は、干渉源情報に応じた無線通信制御情報を記憶する記憶手段と、受信した前記干渉源情報と対応する前記無線通信制御情報に基づき、無線通信部を制御する制御手段と、を具備することにある。
【発明の効果】
【０００９】
本発明によれば、干渉による通信への影響を軽減し、安定的な無線通信を行うことができるネット家電および通信装置を提供することができる。
【発明を実施するための最良の形態】
【００１０】
以下、本発明の実施の形態について図面を参照して詳細に説明する。なお、実施の形態において、同一の構成要素には同一の符号を付し、その説明は重複するので省略する。
【００１１】
（実施の形態１）
まず、本実施の形態に係る通信システム１００について、図１を参照して説明する。
【００１２】
図１に示すように、通信システム１００は、ネット家電２００と、このネット家電２００との間で無線通信を行う通信装置３００とを備える。このネット家電２００と通信装置３００とは、例えば、２．４ＧＨｚ帯の搬送波周波数を用いる無線ＬＡＮ（Ｌｏｃａｌ  Ａｒｅａ  Ｎｅｔｗｏｒｋ）やブルートゥース（Ｂｌｕｅｔｏｏｔｈ）等により通信を行うようになっている。ネット家電２００は、無線部２０１と、他の通信装置との通信状態に大きな影響を及ぼし通信とは関係のない電磁波を発生する干渉源２０２と、制御部２０３と、アンテナ２０４と、記憶部２０５とを備える。なお、各実施の形態において「ネット家電」とは、例えば、電子レンジ、プラズマテレビ、ＩＨ（Ｉｎｄｕｃｔｉｏｎ  Ｈｅａｔｉｎｇ：電磁誘導加熱）を用いたポット、ジャー、コンロなど無線通信に影響を及ぼし通信とは関係のない電磁波を発生する干渉源を備え、家庭内に存在するネットワークに接続可能なすべての製品を意味する。
【００１３】
干渉源２０２は、ネット家電２００が例えば電子レンジである場合には、加熱用電磁波発生部に相当する。
【００１４】
制御部２０３は、ネット家電２００全体の制御を行っている。具体的には、制御部２０３は、無線部２０１およびアンテナ２０４を介する無線信号の送受信を制御するとともに、干渉源２０２の始動停止等の制御をする。また、制御部２０３は、例えばネット家電２００が電子レンジである場合には、ユーザが電子レンジを利用する際に入力する加熱時間（すなわち、干渉源２０２が作動して干渉を生じさせる時間）などを記憶部２０５に記憶させる制御を行う。
【００１５】
通信装置３００は、無線部３０１と、制御部３０２と、アンテナ３０３と、記憶部３０４とを備える。
【００１６】
制御部３０２は、通信装置３００全体の制御を行い、具体的には、無線部３０１およびアンテナ３０３を介してネット家電２００との間での無線信号の送受信を制御する。
【００１７】
次いで、通信システム１００の動作について説明する。
【００１８】
ネット家電２００が干渉源２０２を作動させるに際しては、まず、制御部２０３は、記憶部２０５に記憶している干渉源２０２に関する「干渉源情報」を無線部２０１およびアンテナ２０４を介して通信装置３００に向けて送信する。ここで、「干渉源情報」には、干渉源２０２の識別情報、干渉源２０２の「作動時間情報」および干渉源２０２から放射される干渉成分の情報などが含まれる。前記干渉成分の情報には、中心周波数、周波数幅、平均信号強度、周波数や強度の変動幅や変動速度などがある。また、「作動時間情報」には、「干渉源情報」の送信時を基準として何秒後に干渉源２０２が作動（停止）するのかを示す動作開始相対時刻（動作停止相対時刻）、干渉源２０２の動作が継続する動作継続時間情報を含めることができる。また、相対時刻の代わりに、現実の時間情報である絶対時刻で干渉源２０２の作動開始時間などを表してもよい。
【００１９】
なお、ネット家電２００が「干渉源情報」を送るタイミングとしては、ネット家電２００の種別に応じて種々考えられる。ネット家電２００が電子レンジである場合には、例えばユーザにより加熱を開始するスイッチが入れられたタイミング、ネット家電２００に備えられた制御部２０３によって干渉源２０２の動作が開始される直前のタイミングなどとすることが適当である。また、ネット家電２００がプラズマテレビ、ＩＨを用いたコンロである場合には、例えばユーザにより電源スイッチが入れられたタイミングが適当である。
【００２０】
通信装置３００においては、制御部３０２は、ネット家電２００から送信された「干渉源情報」をアンテナ３０３および無線部３０１を介して受信する。そして、制御部３０２は、「干渉源情報」に基づいて、干渉源２０２によるネット家電２００との間の通信への干渉に起因する影響を軽減するための制御を行う。この制御は、例えば、干渉源２０２の干渉が特定の周波数に特に大きく影響を与える場合にはその特定の周波数とは異なる周波数帯への変更、干渉源２０２の干渉を軽減するのに特に効果的な通信方式への変更、搬送波レベルの変更などの無線部２０１に対する制御を含む。これにより、通信装置３００は、ネット家電２００から干渉源２０２が作動中に無線信号を受信しても、干渉源２０２の無線信号への干渉による影響を軽減することができる。
【００２１】
次に、ネット家電２００に備えられた制御部２０３は、上記通信装置３００における制御に掛かる時間を考慮して、「干渉源情報」の送信から所定の時間的間隔を置いて、干渉源２０２に対して動作制御情報を送出する。干渉源２０２は、この動作制御情報を受けて作動する。
【００２２】
なお、通信装置３００において成される干渉源２０２による干渉の影響を軽減するための上記制御は、通信装置３００が「干渉源情報」に応じた「制御情報」を記憶しておき、この記憶情報に基づいて行うことができる。このとき、通信装置３００の記憶部３０４には、干渉源２０２の干渉源識別情報と、干渉源識別情報が示す干渉源が作動している間に適した周波数帯、通信方式および搬送波レベルなどの「制御情報」とが対応づけられて記憶されている。
【００２３】
またなお、上記制御は、ネット家電２００が「干渉源情報」とともに記憶部２０５に記憶している搬送波周波数、通信方式および送信レベルに関する「制御情報」を記憶しておき、この制御情報を通信装置３００に対して送信し、通信装置３００がネット家電２００からの上記制御情報に基づいて行うこともできる。こうすることで、干渉源２０２の情報を直接的に把握しているネット家電２００からの制御信号に基づき通信装置３００が干渉による影響を軽減する制御を行うので、効率的な制御を行うことができる。なお、ネット家電２００からの制御情報は、搬送波周波数、通信方式および送信レベルの組み合わせに対応するインデックス情報でもよく、この場合には、通信装置３００においてインデックス情報と、搬送波周波数、通信方式および送信レベルの組み合わせとを対応づけたテーブルを保持している必要がある。
【００２４】
このように、本実施の形態によれば、ネット家電２００において干渉源２０２に関する「干渉源情報」を送信する無線部２０１を設けたことにより、この「干渉源情報」を受信する通信装置３００はその「干渉源情報」を基に干渉による影響を軽減することができる。
【００２５】
さらに、本実施の形態によれば、干渉源２０２を備えるネット家電２００は、「干渉源情報」の送信時間から通信装置３００において「干渉源情報」を基に干渉による影響を軽減する準備ができるまでの時間に応じた時間的間隔を置いて干渉源２０２が作動を開始するように制御する制御部２０３を設けた。
【００２６】
こうすることで、通信装置３００において干渉源２０２の干渉による影響を受ける前にその影響を軽減する準備（例えば、干渉源２０２の干渉が特定の周波数に特に大きく影響を与える場合にはその特定の周波数とは異なる周波数帯への変更、干渉源２０２の干渉を軽減するのに特に効果的な通信方式への変更、搬送波レベルの変更など）が整っているので、安定した無線通信を実現する通信システムを構築することができる。
【００２７】
なお、上記実施の形態においては、通信装置３００は、「干渉源情報」に基づいて、例えば、干渉源２０２の干渉が特定の周波数に特に大きく影響を与える場合にはその特定の周波数とは異なる周波数帯への変更、干渉源２０２の干渉を軽減するのに特に効果的な通信方式への変更、搬送波レベルの変更などの無線部２０１に対する制御を行うものとして説明した。しかしながら、この制御は、例えば、干渉源２０２が作動している時間には通信を停止することでもよい。これにより、通信装置３００は干渉を受ける期間を避けて通信を行うので、安定的な通信を行うことができる。
【００２８】
（実施の形態２）
実施の形態２に係る通信システム４００は、図２に示すように、ネット家電５００と、通信装置６００とを備える。ネット家電５００は制御部５０１を備え、この制御部５０１は「干渉源情報」の他に、作動許可要求信号を送信する制御を行う。通信装置６００は制御部６０１を備え、この制御部６０１はネット家電５００からの「干渉源情報」に基づき干渉による影響を軽減する制御を行うとともに、作動許可要求信号に応じて作動許可応答信号を送信する制御を行う。
【００２９】
この通信システム４００において、ネット家電５００は、干渉源２０２を作動させるに際して、通信装置６００に対して作動許可要求信号を送信し、この要求に応じた通信装置６００からの動作許可応答信号を取得した後に、干渉源２０２を作動させる制御を行う。
【００３０】
通信システム４００の動作について説明すると、ネット家電５００が干渉源２０２を作動させるに際しては、まず、制御部５０１は、記憶部２０５に記憶している干渉源２０２に関する「干渉源情報」と作動許可要求信号とを通信装置６００に向けて送信する。
【００３１】
通信装置６００においては、制御部６０１は、ネット家電５００から送信された「干渉源情報」および作動許可要求信号をアンテナ３０３および無線部３０１を介して受信する。そして、制御部６０１は、「干渉源情報」に基づいて、干渉源２０２によるネット家電５００との間の通信への干渉に起因する影響を軽減するための制御を行う。そして、制御部６０１は、作動許可要求信号に応じる作動許可応答信号をネット家電５００に対して送信する。なお、ここでは制御部６０１が干渉を軽減するための制御を行った後で作動許可応答信号を送信することとしたが、通信装置６００からネット家電５００に作動許可信号を送信するために必要な所要時間や、制御部５０１が干渉源２０２を制御するために必要な所要時間を考慮し、前記所要時間までの範囲内で、制御部６０１による干渉を軽減するための制御が完了するより早いタイミングで、前記作動許可要求信号の送信を開始してもよい。
【００３２】
ネット家電５００において、制御部５０１は、通信装置６００から作動許可応答信号を受け取ると、干渉源２０２に対して動作制御情報を送出する。このように作動許可応答信号を受け取った後に干渉源２０２を作動させることで、通信装置６００における干渉源２０２による干渉の影響を軽減する制御が完了する前にネット家電５００が干渉源２０２を作動させることがない。よって、ネット家電５００および通信装置６００の間において、干渉源２０２の作動後も安定した無線通信を行うことができる。
【００３３】
このように、本実施の形態によれば、干渉源２０２を備えるネット家電５００は、制御部５０１の制御により、「干渉源情報」および作動許可要求信号を通信装置６００に送信し、通信装置６００において「干渉源情報」に基づいた干渉による影響を軽減する準備が完了した後に返信される作動許可応答信号を受け取ったときに干渉源２０２が作動を開始するように制御する。
【００３４】
こうすることで、通信装置６００において干渉源２０２の干渉による影響を受ける前にその影響を軽減する準備（例えば、干渉源２０２の干渉が特定の周波数に特に大きく影響を与える場合にはその特定の周波数とは異なる周波数帯への変更、干渉源２０２の干渉を軽減するのに特に効果的に通信方式への変更、搬送波レベルの変更など）が整っているので、安定した無線通信を実現する通信システムを構築することができる。
【００３５】
なお、上記実施の形態においては、通信装置６００は、「干渉源情報」に基づいて、例えば、干渉源２０２の干渉が特定の周波数に特に大きく影響を与える場合にはその特定の周波数とは異なる周波数帯への変更、干渉源２０２の干渉を軽減するのに特に効果的な通信方式への変更、搬送波レベルの変更などの無線部２０１に対する制御を行うものとして説明した。しかしながら、この制御は、例えば、干渉源２０２が作動している時間には通信を停止することでもよい。また逆に通信装置６００は、通信を行っている間には、ネット家電５００の干渉源２０２の作動を許可しないように制御してもよく、具体的には、作動許可応答信号を送るタイミングを遅らせたり又はネット家電５００に対して干渉源２０２の作動を待たせる制御信号を送信することなどにより実現することができる。これにより、通信装置６００は干渉を受ける期間を避けて通信を行うので、安定的な通信を行うことができる。
【００３６】
（実施の形態３）
図３に示すように、本実施の形態の通信システム７００は、ネット家電２００と、通信装置８００とを備える。通信装置８００は、干渉成分測定部８０１と、アンテナ８０２と、制御部８０３と、記憶部８０４とを備える。
【００３７】
干渉成分測定部８０１は、制御部８０３の制御により、アンテナ８０２より受信する信号を用いてネット家電２００と通信装置８００との間の伝搬路における干渉成分を測定し、その測定結果を制御部８０３に出力する。なお、ここではアンテナ８０２をあらたに設けたが、アンテナ８０２を設けずに干渉成分測定部８０１はアンテナ３０３および無線部３０１を介して受け取る受信信号を用いて干渉成分を測定してもよい。
【００３８】
制御部８０３は、ネット家電２００の干渉源２０２が作動中の、干渉成分測定部８０１からの干渉成分測定結果に応じた「制御情報」を記憶部８０４に記憶する制御を行い、順次更新を行う。こうすることで、ネット家電２００と通信装置８００との位置関係が例えば通信装置８００の移動や部屋の模様替えなどにより変化した場合でも、変化後の位置関係に適した「制御情報」に更新することができる。なお、この「制御情報」は、上述のとおり干渉源識別情報が示す干渉源が作動している間に適した周波数帯、通信方式および搬送波レベルなどである。
【００３９】
また、制御部８０３は、ネット家電２００からの「干渉源情報」と記憶部８０４に記憶されている「制御情報」とに基づき、干渉源２０２によるネット家電２００との間の通信への干渉に起因する影響を軽減するための制御を行う。そして、制御部８０３は、干渉源２０２の作動後は、実時間で干渉成分測定部８０１から受け取る干渉成分測定結果に応じて記憶部８０４にて更新される「制御情報」に基づき、干渉による影響を軽減する制御を行う。このように干渉源２０２の作動後は、干渉源２０２以外の干渉も考慮した実際の伝搬環境における干渉成分測定結果に基づいてこの実際の干渉を軽減する制御を行うことにより、より実効的な制御を行うことができる。
【００４０】
次いで、通信システム７００の動作について説明する。
【００４１】
実施の形態１と同様に、ネット家電２００が干渉源２０２を作動させるに際しては、まず、制御部２０３は、記憶部２０５に記憶している干渉源２０２に関する「干渉源情報」を無線部２０１およびアンテナ２０４を介して通信装置８００に向けて送信する。
【００４２】
通信装置８００においては、制御部８０３は、ネット家電２００から送信された「干渉源情報」をアンテナ３０３および無線部３０１を介して受信する。そして、制御部８０３は、「干渉源情報」と記憶部８０４に記憶されている「制御情報」とに基づいて、干渉源２０２によるネット家電２００との間の通信への干渉に起因する影響を軽減するための制御を行う。
【００４３】
次に、ネット家電２００は、上記通信装置８００における制御に掛かる時間を考慮して、「干渉源情報」の送信から所定の時間的間隔を置いて、干渉源２０２に対して動作制御情報を送出する。
【００４４】
一方、通信装置８００においては、ネット家電２００からの「干渉源情報」と記憶部８０４に記憶されている「制御情報」とに基づき、干渉源２０２によるネット家電２００との間の通信への干渉に起因する影響を軽減するための制御を行う。そして、制御部８０３は、干渉源２０２の作動後は、実時間で干渉成分測定部８０１から受け取る干渉成分測定結果に応じて記憶部８０４にて動的に更新される「制御情報」に基づき、干渉による影響を軽減する制御を行う。このように、通信装置８００に干渉成分測定部８０１を設けることにより、仮にネット家電２００から「干渉源情報」を受信できないような場合でも、制御部８０３は、干渉成分測定部８０１から受け取る干渉成分測定結果に応じて干渉による影響を軽減する制御を行うことができる。また、通信装置８００から「干渉源情報」を受け取ったが、干渉成分測定部８０１から受け取る干渉成分測定結果は干渉を余り受けていないことを示すような場合に、干渉を受けていない状態に適した「制御情報」に基づいて通信を行うことができる。要するに、実際の伝搬路における干渉を考慮した実効的な制御を行うことができる。
【００４５】
なお、上記実施の形態においては、実施の形態１と同様にネット家電２００が「干渉源情報」の送信後所定の時間的間隔を置いて干渉源２０２を作動させるものとして説明したが、本発明はこれに限らず、実施の形態２と同様に作動許可応答信号に応じて干渉源２０２を作動させるものとしてもよい。
【００４６】
このように、本実施の形態によれば、通信装置８００は、ネット家電２００の干渉源２０２が作動する前は「干渉源情報」と記憶部８０４に記憶されている「制御情報」とに基づき干渉源２０２によるネット家電２００との間の通信への干渉に起因する影響を軽減するための制御を行う制御部８０３を設けた。そして、この制御部８０３は、干渉源２０２が作動後には、実時間で干渉成分測定部８０１から受け取る干渉成分測定結果に応じて干渉による影響を軽減する制御を行う。
【００４７】
こうすることで、通信装置８００において干渉源２０２の干渉による影響を受ける前にその影響を軽減する準備をしておくとともに、干渉源２０２の作動後は、実時間で干渉成分測定部８０１から受け取る干渉成分測定結果に応じて実際の伝搬路における干渉を考慮した制御を行うことができる。そのため、通信装置８００において干渉源２０２の干渉による影響を受ける前にその影響を軽減する準備が整っているので、安定した無線通信を実現する通信システムを構築することができる。さらに、干渉源２０２の作動後は実際の伝搬路における干渉を考慮した制御を行うので、より実効的な制御ができるため、より安定した無線通信を実現する通信システムを構築することができる。
【００４８】
（実施の形態４）
図４に示すように、本実施の形態の通信システム９００は、ネット家電２００と、通信装置１０００と、通信装置１１００とを備える。
【００４９】
通信装置１０００においては、実施の形態１の通信装置３００と同様に、制御部１００１がネット家電２００からの「干渉源情報」に基づいて干渉源２０２によるネット家電２００との間の通信への干渉に起因する影響を軽減するための制御を行う。さらに、制御部１００１は、この制御に用いる制御情報を無線部３０１およびアンテナ３０３を介してネット家電２００および通信装置１１００に対して送信する。
【００５０】
通信装置１１００においては、制御部１１０１は、通信装置１０００からの制御情報に基づいて、干渉源２０２によるネット家電２００との間の通信への干渉に起因する影響を軽減するための制御を行う。
【００５１】
このように、通信装置１１００は、通信装置１０００における干渉軽減の制御情報を利用して、干渉源２０２によるネット家電２００との間の通信への干渉に起因する影響を軽減するための制御を行うことができるので、自装置で負担の大きい処理をする必要がないため構成を簡略化することができる。
【００５２】
（他の実施の形態）
（１）実施の形態１および２において、ネット家電が通信システム内に１つしかない場合を想定して説明を行った。しかしながら、今後、ネット家電の普及が加速し、家庭内の家電がネット家電に置き換わっていくと、家庭内ＬＡＮなどの通信システムにネット家電が複数含まれることが想定される。ネット家電が複数存在する場合でも上記効果を有する通信システムを実現することができる。
【００５３】
実施の形態１の通信システム１００に複数のネット家電２００が存在する場合について説明すると、各ネット家電２００は、干渉源２０２を作動させる前に「干渉源情報」を通信装置３００に対して送信する。
【００５４】
そして、この場合には、通信装置３００においては、記憶部３０４にて、干渉源識別情報と、この干渉源識別情報に対応する干渉が起こる周波数帯、通信方式および搬送波レベルなどを記憶しておく。
【００５５】
そして、通信装置３００においては、制御部３０２は、最初の「干渉源情報」を受け取ると、この「干渉源情報」に基づいて、上記記憶部３０４に記憶している周波数帯、通信方式および搬送波レベルなどを避けて、干渉に起因する影響を軽減するための制御を行う。
【００５６】
そして、制御部３０２は、次の「干渉源情報」を受け取ると、最初の「干渉源情報」に対応する周波数帯、通信方式および搬送波レベルなどを避け、かつ、次の「干渉源情報」に対応する周波数帯、通信方式および搬送波レベルなどを避けて、干渉に起因する影響を軽減するための制御を行う。
【００５７】
その次の「干渉源情報」に基づく制御においては、上記２つの「干渉源情報」に対応する干渉が起こる周波数帯、通信方式および搬送波レベルなどを避け、かつ、今回の「干渉源情報」に対応する干渉が起こる周波数帯、通信方式および搬送波レベルなどを避けて、干渉に起因する影響を軽減するための制御を行う。このような制御を「干渉源情報」を受け取る度に、順次行う。
【００５８】
すなわち、通信装置３００において、制御部３０２は、順次受け取る「干渉源情報」に対応するすべての干渉が起こり難い周波数帯、通信方式および搬送波レベルなどを選択して、干渉に起因する影響を軽減するための制御を行う。
【００５９】
こうすることで、通信システム内に複数のネット家電が存在する場合にも、通信に影響を及ぼすすべての干渉源からの影響を軽減することができるので、安定した無線通信を実現する通信システムを構築することができる。
【００６０】
（２）上記各実施の形態においては、干渉源により干渉を受ける通信回線を無線回線として説明したが、本発明はこれに限定されるものではなく、有線回線であってもよい。また、各装置間で通信を行う回線と、「干渉源情報」等の各種情報を遣り取りする回線を同一回線として説明したが、本発明はこれに限定されるものではなく、互いに異なる回線を利用してもよい。
【００６１】
本発明のネット家電の第１の態様においては、通信に利用されない電磁波を発生しこの電磁波が無線通信に干渉を与える干渉源と、前記干渉源に関する干渉源情報を記憶する記憶手段と、前記干渉源情報を送信する通知手段と、を具備する構成を採る。
【００６２】
この構成によれば、干渉源に関する干渉源情報を通知する通知手段を備えるので、干渉源情報の通知を受ける通信装置は上記干渉源による干渉を避けて無線通信を行うことができる。よって、このネット家電と上記通信装置とから構成される通信システムにおいては、無線通信に影響を及ぼす干渉源からの影響を軽減することができるので、安定した無線通信を実現することができる。
【００６３】
本発明のネット家電の第２の態様においては、前記通知手段が前記干渉源情報を送信してから時間的間隔をおいて前記干渉源へ作動制御情報を送出する制御手段を具備する構成を採る。
【００６４】
この構成によれば、干渉源情報の送信から時間的間隔をおいて干渉源への作動制御情報を送出する制御手段を備えるので、上記時間的間隔を干渉源情報の通知を受ける通信装置が干渉を避ける制御を行うのに掛かる時間とすることにより、上記通信装置は上記干渉源による干渉を避けて無線通信を行うことができる。
【００６５】
本発明のネット家電の第３の態様においては、通知相手からの作動許可情報に基づいて前記干渉源を含むユニットの動作を開始制御する制御手段を具備する構成を採る。
【００６６】
この構成によれば、ネット家電が通知相手からの作動許可情報に基づいて前記干渉源を含むユニットの動作を開始制御する制御手段を具備するので、上記通信装置は上記干渉源による干渉を確実に避けて無線通信を行うことができる。
【００６７】
本発明のネット家電の第４の態様においては、前記記憶手段は、前記干渉源情報として、前記干渉源の作動の時間情報を記憶する構成を採る。
【００６８】
この構成によれば、上記通信装置は干渉源の作動に関する時間情報を入手できるので、上記干渉源による干渉を確実に避けて無線通信を行うことができる。
【００６９】
本発明の通信装置の第１の態様においては、干渉源情報に応じた無線通信制御情報を記憶する記憶手段と、受信した前記干渉源情報と対応する前記無線通信制御情報に基づき、無線通信部を制御する制御手段と、を具備する構成を採る。
【００７０】
この構成によれば、受信した干渉源情報に対応する干渉を避けるのに適した無線通信制御情報に基づき、無線通信部の制御を行うことができるので、干渉を避けて無線通信を行うことができる。
【００７１】
本発明の通信装置の第２の態様においては、干渉源が作動中の伝搬環境における干渉成分を測定する測定手段を具備し、前記制御手段は測定結果に基づき前記記憶手段の前記干渉源に対応する前記無線通信制御情報を順次更新し、更新後の当該無線通信制御情報に基づき制御する構成を採る。
【００７２】
この構成によれば、干渉源が作動中の伝搬環境における干渉成分を測定し、この測定結果に応じた無線通信制御情報に基づき無線通信部の制御を行うので、干渉源と通信装置との位置関係が変化した場合でも、変化後の位置関係に適した無線通信制御情報により無線通信部を制御することができる。
【産業上の利用可能性】
【００７３】
本発明のネット家電および通信装置は、ネット家電の有する干渉源による無線通信への影響を軽減することができ、安定的な無線通信が可能な通信システムを構築することができる効果を有し、特に家庭内無線ＬＡＮなど限られた空間内に構築される無線通信システムに接続されるネット家電および通信装置として有用である。
【図面の簡単な説明】
【００７４】
【図１】本発明の実施の形態１に係る通信システムの全体構成図
【図２】実施の形態２に係る通信システムの全体構成図
【図３】実施の形態３に係る通信システムの全体構成図
【図４】実施の形態４に係る通信システムの全体構成図
【図５】従来の無線通信システムに影響を与える干渉を排除するための装置の構成を示す図
【符号の説明】
【００７５】
１００、４００、７００、９００  通信システム
２００、５００  ネット家電
２０１、３０１、１１０１  無線部
２０２  干渉源
２０３、３０２、５０１、６０１、８０３、１００１、１１０２  制御部
２０４、３０３、８０２、１１０３  アンテナ
２０５、３０４、８０４  記憶部
３００、６００、８００、１０００、１１００  通信装置
８０１  干渉成分測定部
【図１】
2006080741.tif 000003
【図２】
2006080741.tif 000004
【図３】
2006080741.tif 000005
【図４】
2006080741.tif 000006
【図５】
2006080741.tif 000007